(57)【要約】【課題】  壁面からの張出し寸法を大きくすることなく、吸着体の表面積を増大させて加湿性能を高めることができるようにする。【解決手段】室内機本体３内に設けられ、室内空気を吸込口から吸い込み、この室内空気を再生流路３５を介して吹出口から吹き出す空調用ファン９と、吸込口から室内空気を吸い込み、この室内空気を吸湿流路３４を介して室外に排気する室外排気用ファン１１と、室内機本体３内にその横幅方向に沿って設けられ、一部を再生流路３５、その他の部分を吸湿流路３４に位置させ、被吸着物質を吸着可能及び脱離可能な長方形状の吸着体１０と、吸着体１０を室内機本体３の横幅方向に沿って正逆方向にスライド移動させることにより、吸着体１０の一部とその他の部分を再生流路３５と吸湿流路３４に交互に位置させるスライド機構３６とを備える。【選択図】      図２
2008175488.tif 000002
【特許請求の範囲】
【請求項１】
被吸着物質を吸着可能及び脱離可能な長方形状の吸着体と、
前記吸着体の再生用の通風を行なう再生流路と、
この再生流路に併設された前記吸着体の吸着用の通風を行なう前記吸着流路と、
前記吸着体を正逆方向にスライド移動させることにより、前記吸着体の一部とその他の部分を前記再生流路と前記吸着流路に交互に位置させる移動手段と、
を備えることを特徴とする吸着再生装置。
【請求項２】
室内の空気が吸い込まれる吸込口とこの吸込口から吸い込まれた空気を室内に吹き出す吹出口とが形成された室内機本体と、
前記室内機本体内に設けられ、室内空気を前記吸込口から吸い込み、この室内空気を再生流路を介して前記吹出口から吹き出す再生処理用ファンと、
前記吸込口から室内空気を吸い込み、この室内空気を吸着流路を介して室外に排気する吸着処理用ファンと、
前記室内機本体内にその横幅方向に沿って設けられ、一部を前記再生流路、その他の部分を前記吸着流路に位置させ、被吸着物質を吸着可能及び脱離可能な長方形状の吸着体と、
前記吸着体を前記室内機本体の横幅方向に沿って正逆方向にスライド移動させることにより、前記吸着体の一部とその他の部分を前記再生流路と前記吸着流路に交互に位置させる移動手段と、
を備えることを特徴とする空気調和機の室内機。
【請求項３】
前記吸着流路と前記再生流路とは交互に合計奇数（２Ｎ＋１）本配置され、
前記吸着体は前記奇数（２Ｎ＋１）本の流路に対し、隣接する偶数（２Ｎ）本の流路を占有する大きさを有し、前記Ｎは自然数(１，２…)とすることを特徴とする請求項２記載の空気調和機の室内機。
【請求項４】
前記奇数（２Ｎ＋１）本の流路のうち、偶数番目の流路を前記吸着流路とすることを特徴とする請求項３記載の空気調和機の室内機。
【請求項５】
前記吸着体に伝熱フィンを設け、
前記吸着流路に冷熱体、前記再生流路に加熱体を設け、
前記吸着体のスライド移動により前記吸着流路では前記伝熱フィンの根元端部を前記冷熱体、前記再生流路では前記伝熱フィンの根元端部を前記加熱体に接触させることを特徴とする請求項２記載の空気調和機の室内機。
【請求項６】
前記伝熱フィンの根元端部は、流路の幅寸法以下で断熱されて分割され、その分割幅単位でスライド移動されることを特徴とする請求項５記載の空気調和機の室内機。
【請求項７】
ペルチェ素子を備え、このペルチェ素子により前記加熱体を加熱し、前記冷熱体を冷却することを特徴とする請求項５記載の空気調和機の室内機。
【請求項８】
前記ペルチェ素子は、電流が反転されることにより冷熱面と加熱面を逆転させることを特徴とする請求項７記載の空気調和機の室内機。
【請求項９】
冷凍サイクルの冷媒の流通方向を四方弁で切り替えることにより、冷媒管を高温冷媒管と低音冷媒管に切り替え、前記高温冷媒管により前記加熱体を加熱し、低音冷媒管により前記冷熱体を冷熱することを特徴とする請求項５記載の空気調和機の室内機。
【請求項１０】
室内の空気が吸い込まれる吸込口とこの吸込口から吸い込まれた空気を室内に吹き出す吹出口とが形成された室内機本体と、
前記室内機本体内に設けられ、室内空気を前記吸込口から吸い込み、この室内空気を再生流路を介して前記吹出口から吹き出す再生処理用ファンと、
前記吸込口から室内空気を吸い込み、この室内空気を吸着流路を介して室外に排気する吸着処理用ファンと、
前記室内機本体の横幅方向に沿って前記吸着流路にＮ枚、前記再生流路に１枚配設され、被吸着物質を吸着可能及び脱離可能な長方形状の複数枚の吸着体と、
前記吸着体を前記吸着流路と前記再生流路との間で順番にスライド移動させる移動手段と、
を備えることを特徴とする空気調和機の室内機。
【請求項１１】
前記吸湿体は、前記吸着流路と再生流路との間をスライド移動できるように１枚ずつずらせて設置される請求項１０記載の空気調和機の室内機。
【請求項１２】
前記吸湿体の吸着時間：再生時間がＮ：１で、前記吸着流路が前記再生流路を挟むかたちで両サイドに配置され、前記吸湿体が前記吸着流路に（Ｎ＋１）／２枚ずつ配置され、
前記吸着流路から前記吸湿体を交互に１枚ずつ、前記再生流路に繰り返しスライド移動させることを特徴とする請求項１０記載の空気調和機の室内機。
【請求項１３】
前記Ｎが偶数の場合は、前記吸着流路の吸湿体の数は、Ｎ／２、（Ｎ／２））＋１枚とする請求項１２記載の空気調和機の室内機。
【発明の詳細な説明】
【技術分野】
【０００１】
本発明は、水分等の被吸着物質を吸着、再生する吸着再生装置及び加湿機能などの被吸着物質の吸着、脱離機能を備えた空気調和機の室内機に関する。
【背景技術】
【０００２】
従来の吸着再生装置に用いられる吸着体は、例えば、ハニカム構造の円盤状に形成されており、その一部が吸着通路にその他の部分が再生通路に位置するように中心線回りに回転可能に支持されている。そして再生通路と吸着通路のそれぞれに通風を行なうためのファンが設けられている。
【０００３】
例えば、吸着体の被吸着物質として水分を対象として加湿機能を備えた空気調和機の室内機がある。
【０００４】
このような室内機では、吸着体が回転中心回りに回転することにより、吸着体の各部は、一方のファンにより送風される空気が当たる位置と、他方のファンにより送風される加熱された空気が当たる位置との間を移動する。
【０００５】
一方のファンにより送風される空気は、室内の空気又は室外から取り入れられた空気である。この空気が吸着体に当たることにより、空気中に含まれている水分が吸着体に吸着される。水分が吸着体に吸着されて含有水分量が少なくなった空気は、室外に排気される。
【０００６】
他方のファンにより送風される空気は、ヒータ等により加熱された空気である。この加熱された空気が吸着体に当たることにより、吸着体が加熱されて吸着体に吸着されている水分が吸着体から脱離され、脱離された水分が室内に放出され、室内が加湿される。
【０００７】
このようにして、２つのファンを駆動させながら吸着体を回転させることにより、室内機が配置されている室内が加湿される（例えば、特許文献１参照。）。
【特許文献１】特許第３２５４３８１号公報
【発明の開示】
【発明が解決しようとする課題】
【０００８】
しかしながら、前述の空気調和機の室内機においては、以下の点について配慮がなされていない。  
吸着体が吸着できる水分の量は、吸着体の表面積に比例する。このため、加湿性能を高めるためには、吸着体の直径を大きくする必要がある。吸着体の直径が大きくなると、それに伴って吸着体の収納部、例えば室内機、の外形寸法、特に、吸着体の回転中心と直交する方向の幅寸法が大きくなる。
【０００９】
空気調和機の室内機は、室内の壁面などに取付けられる構造であり、壁面からの張出し寸法を抑えたいという要望が大きい。このため、吸着体の直径を大きくして加湿性能を高めることに関して制限を受けている。このような問題は吸着体自身が回転することから生じる問題である。
【００１０】
そこで、本発明は上記課題を解決するためになされたものであり、その目的は、吸着体を回転させない新たな吸着再生装置を得ること、またこのような吸着再生装置を空気調和機の室内機に組み込むことで壁面からの張出し寸法を大きくすることなく、吸着体の表面積を増大させて加湿性能を高めることができるようにした室内機を提供することである。
【課題を解決するための手段】
【００１１】
上記課題を解決するため、請求項１記載のものは、被吸着物質を吸着可能及び脱離可能な長方形状の吸着体と、前記吸着体の再生用の通風を行なう再生流路と、この再生流路に併設された前記吸着体の吸着用の通風を行なう前記吸着流路と、前記吸着体を正逆方向にスライド移動させることにより、前記吸着体の一部とその他の部分を前記再生流路と前記吸着流路に交互に位置させる移動手段とを備えることを特徴とする。
【００１２】
請求項２記載のものは、室内の空気が吸い込まれる吸込口とこの吸込口から吸い込まれた空気を室内に吹き出す吹出口とが形成された室内機本体と、前記室内機本体内に設けられ、室内空気を前記吸込口から吸い込み、この室内空気を再生流路を介して前記吹出口から吹き出す再生処理用ファンと、前記吸込口から室内空気を吸い込み、この室内空気を吸着流路を介して室外に排気する吸着処理用ファンと、前記室内機本体内にその横幅方向に沿って設けられ、一部を前記再生流路、その他の部分を前記吸着流路に位置させ、被吸着物質を吸着可能及び脱離可能な長方形状の吸着体と、前記吸着体を前記室内機本体の横幅方向に沿って正逆方向にスライド移動させることにより、前記吸着体の一部とその他の部分を前記再生流路と前記吸着流路に交互に位置させる移動手段とを備えることを特徴とする。
【００１３】
請求項１０記載のものは、室内の空気が吸い込まれる吸込口とこの吸込口から吸い込まれた空気を室内に吹き出す吹出口とが形成された室内機本体と、前記室内機本体内に設けられ、室内空気を前記吸込口から吸い込み、この室内空気を再生流路を介して前記吹出口から吹き出す再生処理用ファンと、前記吸込口から室内空気を吸い込み、この室内空気を吸着流路を介して室外に排気する吸着処理用ファンと、前記室内機本体の横幅方向に沿って前記吸着流路にＮ枚、前記再生流路に１枚配設され、被吸着物質を吸着可能及び脱離可能な長方形状の複数枚の吸着体と、前記吸着体を前記吸着流路と前記再生流路との間で順番にスライド移動させる移動手段とを備えることを特徴とする。
【発明の効果】
【００１４】
本発明によれば、コンパクトな吸着脱離装置や吸着再生機能を備えた空気調和機の室内機をえることが可能となる。
【発明を実施するための最良の形態】
【００１５】
以下、本発明の実施の形態を図面を参照して詳細に説明する。  
（第１の実施の形態）
本発明の第１の実施の形態としては、被吸着物質として空気中の水分を対象とした吸着体を用いた吸着再生装置とし、これを空気調和機の室内機に組み込んだ例で説明する。
【００１６】
まず、本発明の第１の実施の形態に係る空気調和機の室内機１は、図１及び図２に示すように室内と室外とを仕切る壁２の内側面に取付けられる室内機本体３を有し、室内機本体３の前面部と上面部とには複数の吸込口４が形成されている。室内機本体３の下部には、ルーバー５により開度を調整可能な吹出口６が形成されている。
【００１７】
室内機本体３内には、エアフィルタ７と、熱交換器８と、再生処理用ファンとしての空調用ファン９とが配置されている。さらに、室内機本体３内には、水分や臭い成分等の被吸着物質を吸着可能及び脱離可能な吸着体１０と、吸着処理用ファンとしての室外排気用ファン１１と、吸着脱離機構１２と、吸着脱離機構１２の一部を構成するヒータ１３Ａ，１３Ｂ，１３Ｃと、制御器１４とが配置されている。
【００１８】
エアフィルタ７は、室内機本体３の前面部と上面部との内側に配置され、メッシュ状に形成されている。吸込口４から室内機本体３内に吸い込まれる空気中に埃が含まれている場合、この空気がエアフィルタ７を通過する過程で埃がエアフィルタ７により捕集される。
【００１９】
熱交換器８は、室外に配置されている室外機（図示せず）内に設けられている熱交換器に接続され、内部に冷媒が流れ、冷房運転と暖房運転とに切替可能に設けられている。冷房運転時には熱交換器８の周囲を流れる空気が冷却され、暖房運転時には熱交換器８の周囲を流れる空気が加熱される。
【００２０】
空調用ファン９は、長尺形状に形成された貫流（横流）ファンであり、一端にモータ１５が連結され、モータ１５により回転駆動される。空調用ファン９が駆動されることにより、室内の空気が吸込口４から吸い込まれ、吸い込まれた空気が熱交換器８を通過して吹出口６から吹き出す。吹出口６から吹き出す空気は、冷房運転時は冷たい熱交換器８を流れることにより冷却されて冷風となり、又は、暖房運転時は、暖かい熱交換器８を流れることにより加熱されて温風となる。
【００２１】
室外排気用ファン１１には、この室外排気用ファン１１を回転駆動させるモータ１８が連結されている。室外排気用ファン１１が駆動されることにより、室内の空気が正面側の吸込口４から吸い込まれ、吸着体１０を通過した後、ダクト１１Ａを介して排気用パイプ１９内を通風され、室外に排気される。排気用パイプ１９は、室内機本体３内から室内機本体３外へ延び出し、さらに、壁２を貫通して室外に延び出している。
【００２２】
制御器１４は、プログラムされたマイコン及びその周辺機器からなり、室内機本体３内の制御対象物の制御を行う。制御器１４には、図３に示すように、空調用ファン９を駆動させるモータ１５、室外排気用ファン１１を駆動させるモータ１８、ルーバー５を駆動させるモータ２６及び後述する吸着体１０をスライドさせる移動手段としてのスライド機構３６用のモータ３９が接続されている。さらに、制御器１４には、ヒータ１３、室温センサ２７、室内機１の動作を操作するリモコン２８からの赤外線信号を受光する受光部２９が接続されている。
【００２３】
吸着体１０は、室内機本体３内における正面側の吸込口４と熱交換器８との間に配置され、室内機本体３の横幅方向に延びた長尺の直方体形状に形成されている。吸着体１０は、図４に示すように、複数枚の平面シート３１と複数枚の波形シート３２とを交互に接着して形成され、平面シート３１と波形シート３２との間に奥行き方向に通風可能な空間部３３が形成されている。吸着体１０の長手方向である横方向の両端には端板３３ａ、３３ｂが設けられ、横方向の中央部には端板３３ａ、３３ｂと平行に仕切板３３ｃが設けられている。すなわち、吸着体１０は仕切り板３３ｃによって左右に２分割されている。
【００２４】
平面シート３１と波形シート３２との表面には、ゼオライト等の吸着材粒子が塗布されている。吸着体１０が室内機本体３内に配置された場合、空間部３３は正面側の吸込口４から熱交換器８に向けられている。水分や臭い成分を含む空気が吸着体１０の空間部３３を奥行き方向に流れることにより、水分や臭い成分が吸着材粒子に吸着される。また、加熱された空気が吸着体１０の空間部３３を流れることにより、吸着材粒子に吸着されている水分や臭い成分が吸着材粒子から脱離される。
【００２５】
吸着脱離機構１２は、室外排気用ファン１１が駆動された場合に流れる空気と空調用ファン９が駆動された場合に流れる空気とを吸着体１０に当て、吸着体１０に対して被吸着物質の吸着と脱離とを行わせるための機構である。この吸着脱離機構１２は、室外排気用ファン１１が駆動された場合に流れる空気を吸着体１０の一部に当たる位置に通風する吸着流路３４と、空調用ファン９が駆動された場合に流れる空気を吸着体１０の他の部分に当たる位置に通風する再生流路３５と、吸着体１０の各部が吸着流路３４上と再生流路３５上とに交互に位置するように吸着体１０をスライドさせる移動手段としてのスライド機構３６と、吸着体１０から被吸着物質を脱離させるために吸着体１０に当たる空気を加熱するヒータ１３Ａ、１３Ｂ、１３Ｃとを備えている。吸着流路３４は、排気用パイプ１９に連通されている。
【００２６】
吸着体１０と熱交換器８との間には、図５に示すように吸着体１０に向けて開口し、吸着流路３４を通過した空気が流入するダクト１１Ａが配置されている。ダクト１１Ａは排気用パイプ１９に接続されている。吸着流路３４は、室内空気吸込み側に位置する吸着体１０部分と同じ大きさの開口が設けられ、これがダクト１１Ａにつながっている。したがって、室外排気用ファン１１の運転により吸込口４から吸込まれた室内空気は、吸着体１０の左側半分を通過してダクト１１Ａの開口を通る。ダクト１１Ａは、開口から吸着体１０を避けて上方向に延出されており、図５中破線位置となるように吸着体１０が左側にスライドした場合、左側の吸着体１０の背面にダクト１１Ａが位置しないようになっている。これにより左側に吸着体１０がスライドした場合でも室内空気はダクト１１Ａが通風抵抗となることなく、熱交換器側へと流れる。
【００２７】
スライド機構３６は、吸着体１０に固定されたラック３７と、ラック３７に噛み合うピニオン３８と、ピニオン３８を回転させるモータ３９とにより構成されている。モータ３９を正逆回転させることにより、吸着体１０は図２に示す位置と図６に示す位置との間で往復移動する。吸着体１０が図２に示す位置にスライドしている場合、吸着体１０における端板３３ａと仕切板３３ｃとの間の領域（Ｘ部）がダクト１１Ａの開口部に対向する。吸着体１０が図６に示す位置にスライドしている場合、吸着体１０における端板３３ｂと仕切板３３ｃとの間の領域（Ｙ部）がダクト１１Ａの開口部に対向する。
【００２８】
ヒータ１３Ａは、正面側の吸込口４と吸着体１０との間であって、室内空気の吸込み側であるダクト１１Ａの開口部に対向する位置に配置されている。ヒータ１３Ｂ、１３Ｃは、正面側の吸込口４と吸着体１０との間であって、吸着体１０のスライド方向に沿ったダクト１１Ａの両側に対向する位置に配置されている。ヒータ１３Ａ、１３Ｂ、１３Ｃは、空気調和機の運転モードに応じ、及び、吸着体１０のスライド位置に応じ、制御器１４により個々に通電可能とされている。
【００２９】
このような構成において、空気調和機が加湿運転される場合の室内機１の動作について説明する。  
なお、加湿運転が開始される前には、吸着体１０は、図２、図７に示す位置又は図６、図８に示すように位置している。ここでは、吸着体１０が図２、図７に示すように位置して暖房運転が行われている状態から、加湿運転が開始される場合について説明する。
【００３０】
加湿運転が行われていない暖房運転時には、空調用ファン９が駆動され、室内の空気が吸込口４から室内機本体３内に吸い込まれ、吸い込まれた空気が熱交換器８により加熱され、温風となって吹出口６から吹き出している。  
加湿運転を開始する信号がリモコン２８から制御器１４に入力されると、室外排気用ファン１１が駆動され、正面側の吸込口４から室内機本体３内に吸い込まれた室内の空気の一部が、吸着流路３４に通風され、吸着流路３４を通過した後にダクト１１Ａ内と排気用パイプ１９内とを通って室外に排気される。
【００３１】
吸着流路３４内を空気が通風されることにより、通風される空気が吸着体１０の一部（Ｘ部）に当たり、空気中の水分が吸着体１０のＸ部に吸着される。水分が吸着されて含有水分量が少なくなった空気は、ダクト１１Ａ内と排気用パイプ１９内とを通って室外に排気される。
【００３２】
室外排気用ファン１１の駆動が開始されてから一定時間が経過すると、モータ３９が駆動され、吸着体１０が図６、図８に示す位置にスライドされ、さらに、ヒータ１３Ｃに通電される。  
吸着体１０が図２、図７に示す位置から図６、図８に示す位置にスライド移動すると、吸着体１０の一部であって吸着流路３４上に位置して水分が吸着された部分（Ｘ部）が、再生流路上３５上に移動する。一方、吸着体１０の他の一部であって図２、図７に示す場合に再生流路３５上に位置していた部分（Ｙ部）が、ダクト１１Ａの開口部に対向する吸着流路３４上に移動する。
【００３３】
そして、再生流路３５上に移動した吸着体１０のＸ部に対向して位置するヒータ１３Ｃに通電されることにより、空調用ファン９が駆動されて正面側の吸込口４から室内機本体３内に吸い込まれる室内空気の一部がヒータ１３Ｃにより加熱され、加熱された空気が吸着体１０のＸ部に当たる。これにより、吸着体１０のＸ部が加熱され、吸着体１０のＸ部から吸着されている水分が脱離される。
【００３４】
吸着体１０のＸ部から脱離された水分は、空調用ファン９の運転により、その後部にある熱交換器８を通過して吹出口６から吹き出す空気中に含まれた状態で吹出口６から室内に放出され、室内の加湿が行われる。
【００３５】
同時に、室外排気用ファン１１は引き続き駆動され、吸着体１０の他の一部であって吸着流路３４上に位置している部分（Ｙ部）に水分が吸着される。
【００３６】
図６、図８に示す状態で一定時間が経過すると、モータ３９が逆向きに駆動され、吸着体１０が図２、図７に示す位置にスライド移動される。このスライド移動により、吸着体１０における吸着流路３４上に位置して水分が吸着された部分（Ｙ部）が、再生流路３５上に移動する。そして、ヒータ１３Ｃへの通電が停止され、ヒータ１３Ｂに通電され、ヒータ１３Ｂから発熱される。これにより、図６、図８に示す場合に水分の吸着が行われた吸着体１０のＹ部にヒータ１３Ｂにより加熱された空気が当たり、吸着体１０のＹ部から水分が脱離される。吸着体１０のＹ部から脱離された水分は、空調用ファン９が駆動されることにより吹出口６から室内に吹き出す空気中に含まれ、吸着体１０から脱離された水分が吹出口６から室内に放出され、室内の加湿が行われる。
【００３７】
一方、図６、図８に示す場合に水分の脱離が行われた吸着体１０のＸ部が吸着流路３４上に移動し、再び水分の吸着が開始される。  
この室内機１によれば、室外排気用ファン１１と空調用ファン９とを連続回転させ、吸着体１０を往復スライドさせ、ヒータ１３Ｃ、１３Ｂに交互に通電することにより、室内の加湿を連続して行うことができる。
【００３８】
吸着体１０は、室内機１の横幅方向に延びた長尺形状に形成され、正面側の吸込口４と熱交換器８との間に位置して室内機本体３内に配置されている。このため、室内機１の外径寸法が大きくなることを抑制しつつ吸着体１０の表面積を増大させることができ、加湿性能を高めることができる。なお、この第1の実施の形態においては、吸着体１０、吸着脱離機構１２によって吸着脱離装置が構成され、これが室内機内に組み込まれたものである。
【００３９】
さらに、この室内機１では、吸着体１０を用いて、室内の除湿、室内からの臭い成分の除去を行うことができる。
【００４０】
室内の除湿や室内からの臭い成分の除去を行う場合には、除湿又は臭い成分の除去を行う信号をリモコン２８から制御器１４に出力する。この信号が制御器１４に入力されると、空調用ファン９が駆動される。この場合、空気調和機の空調運転状態は、冷房運転、暖房運転、停止のいずれであってもよい。図２、図７に示す状態において空調用ファン９が駆動されると、室内の空気が正面側の吸込口４から室内機本体３内に吸い込まれ、吸い込まれた空気が再生流路３５（この場合、機能的には吸着（湿）流路となる。）を通風されて吸着体１０のＹ部に当たり、空気中の水分や臭い成分が吸着体１０のＹ部に吸着される。水分や臭い成分が吸着され、水分や臭い成分の含有量が少なくなった空気は吹出口６から室内に吹き出す。
【００４１】
空調用ファン９が予め設定されている時間回転駆動されると、モータ３９が駆動され、吸着体１０が図６、図８に示す位置にスライドされる。さらに、室外排気用ファン１１が駆動され、ヒータ１３Ａに通電される。
【００４２】
吸着体１０が図２、図７に示す位置から図６、図８に示す位置にスライドすると、吸着体１０の一部であって図２、図７に示す場合に再生流路３５上に位置して水分や臭い成分が吸着された部分（Ｙ部）が、吸着流路３４（この場合、機能的には再生流路となる。）上に移動する。一方、吸着体１０の他の一部であって図２、図７に示す場合に吸着流路３４上に位置する部分（Ｘ部）が、再生流路３５上に移動する。
【００４３】
室外排気用ファン１１が駆動されることにより、正面側の吸込口４から室内機本体３内に吸い込まれた室内の空気の一部が、吸着流路３４に通風され、吸着流路３４を通過した後にダクト１１Ａ内と排気用パイプ１９内とを通って室外排気される。さらに、ヒータ１３Ａに通電されることにより、吸着流路３４を通風される空気がヒータ１３Ａにより加熱される。ヒータ１３Ａにより加熱されて吸着流路３４を通風される空気が吸着体１０のＹ部に当たり、吸着体１０のＹ部に吸着されている水分や臭い成分が吸着体１０から脱離される。吸着体１０から脱離された水分や臭い成分を含む空気は、ダクト１１Ａ内と排気用パイプ１９内とを通って室外に排気され、ここに、室内の除湿や室内からの臭い成分の除去が行われる。
【００４４】
なお、除湿だけを行なうのであれば、ヒータとしてはダクト１１Ａの開口部に対向する位置に設けられたヒータ１３Ａだけでもよい。
【００４５】
ところで、この実施の形態では、前半に説明した「室内からの排気換気を、吸着体を使って湿度を回収して室内に還元する方式（排気換気）」において、３つの空気流路を備え、左右の流路を再生流路３５とし、中央の流路を吸着流路３４としている。すなわち、３流路型（２Ｎ＋１）の流路のうち偶数番目の流路を吸着流路３４にするため、効率を損なうことなく、また、弁などの機構の追加も必要とせず、常時、安定運転されるべき室外排気用ファン１１に接続して連続換気−連続加湿を提供できる。
【００４６】
なお、３流路型の流路のうち奇数番目の流路を吸着流路にした場合には、１番目、または、（２Ｎ＋１）番目の流路は必ず、不使用となる。このため、弁などを設けて不使用時には通風しないような機構を設けなければ、吸着体がないために低圧損が流路を吸湿することなく、排気がバイパスしてしまい、大きく損失してしまうことになる。
【００４７】
なお、「室外からの給気換気に、吸着体からの再生放湿水分を添加して室内に供給する方式(吸気換気)」を採用した場合には、再生流路は給気換気ファンに繋がるため、３流路型（２Ｎ＋１）の流路のうち偶数番目の流路を再生流路とする。これにより、効率を損なうことなく、また、弁などの機構の追加も必要とせず、常時、安定運転されるべき給気換気ファンに接続して連続換気−連続加湿を提供できる。
【００４８】
奇数番目の流路を再生流路とした場合には、１番目、または３（２Ｎ＋１）番目の流路は必ず不使用となるため、弁などを設けて不使用時には通風しないような機構を設けなければ、吸着体がないために低圧損な流路を給気される外気がバイパスしてしまい、大きく損失してしまうことになる。
【００４９】
なお、以下に示す各実施の形態においては、吸着対象を水分とする場合には、吸着体を吸湿体、吸着流路を吸湿流路と記載する。
【００５０】
（第２の実施の形態）
図９は本発明の第２の実施の形態を示すものである。  
なお、上記した第１の実施の形態の形態において示した部分と同一部分については同一符号を付してその詳細な説明を省略する。
【００５１】
上記した第１の実施の形態では、吸湿流路３４が１個で、再生流路３５が２個である３流路型の場合について説明したが、この第２の実施の形態は、２個の吸湿流路３４ａ、３４ｂと、３個の再生流路３５ａ〜３５ｃからなる５流路型のものである。
【００５２】
即ち、図９に示す時点で、吸湿流路３４ａと吸湿流路３４ｂで吸湿体１０の１／２(＝１／４×２)が吸湿行程に入り、再生流路３５ａと再生流路３５ｂで吸湿体１０の残り１／２(＝１／４×２)が再生放湿行程に入る。
【００５３】
この状態から予め設定された一定時間が経過すると、吸湿体１０が図１０に示す位置にスライド移動される。この時、先ほど吸湿流路３４ａと吸湿流路３４ｂで吸湿した吸湿体の１／２(＝１／４×２)が、再生流路３５ｂと再生流路３５ｃに位置して再生放湿行程が行なわれる。また、先ほど再生流路３５ａと再生流路３５ｂで再生放湿した吸湿体１０の１／２(＝１／４×２)は、吸湿流路３４ａと吸湿流路３４ｂに位置して吸湿行程に入る。
【００５４】
そして、予め設定された一定時間経過後に、再度、吸湿体１０が図９に示す位置にスライド移動して戻り、吸湿流路３４ａと吸湿流路３４ｂで吸湿体１０の１／２(＝１／４×２)が吸湿行程に入り、再生流路３５ａと再生流路３５ｂで吸湿体１０の残り１／２(＝１／４×２)が再生放湿行程に入る。なお、当然、再生流路３５ａ、３５ｂには吸湿体の上流側に加熱手段であるヒータが設けられる。
【００５５】
以上を繰り返すことで、常に吸湿流路３４ａ，３４ｂ、再生流路３５ａ，３５ｂそれぞれから乾燥排気、加湿空気が得られ、連続換気−連続加湿を提供することができる。
【００５６】
上記したことを帰納的に考えると、室外排気ファン１１につながる吸湿流路３４ａ、３４ｂと、空調用ファン９につながる再生流路３５ａ，３５ｂ，３５ｃが、交互に配置され合計、奇数（２Ｎ＋１)本の流路に対し、隣接する偶数（２Ｎ）本の流路を占有する大きさの吸湿体１０を、あらかじめ設定された一定時間毎にスライド移動し往復させる。ただしＮは自然数(１，２，３…)。
【００５７】
この往復を繰り返すことで、常に吸湿流路、再生流路それぞれから乾燥排気、加湿空気が得られ、連続換気−連続加湿を提供することができる。
【００５８】
なお、流路幅が３流路型のとき、吸湿体１０の大きさは流路幅の２／３の大きさになるが、５流路型のときには吸湿体１０の大きさは流路幅の４／５の大きさになる、
ここで、５流路型の大きさが、先の３流路型と同じであるならば、吸湿体１０の大きさは２／３＜４／５であるから、５流路型の方がより大きい吸湿体を採用できることになる。
【００５９】
大きい吸湿体を使うほど、１回あたりの取り扱える水分量が増すため、無給水加湿器機構としてはコンパクトで高性能になる。
【００６０】
そして、これも帰納的に考えると、吸湿体の大きさはＬ＝（２Ｎ）／（２Ｎ＋１）であるから、Ｎが大きいほど「Ｌは１に近づく」ため、より流路幅に近い、大きな吸湿体を採用できることになり、吸着脱離装置（無給水加湿器）としてはコンパクトで高性能になる。
【００６１】
(第３の実施の形態)
次に、本発明の第３の実施の形態について説明する。  
なお、上記した実施の形態で説明した部分と同一部分については、同一符号を付してその詳細な説明を省略する。
【００６２】
この第３の実施の形態は、空気調和機の室内機または室外機に内蔵または併設する換気機能/換気ファンを利用した、ゼオライトやシリカゲルといった吸湿材を担持させた吸湿体４０を使った図１５、図１６に示すような、無給水加湿器において、図１１に示すような再生処理用ファン４３につながる再生流路４２と、図１３に示すような吸着処理用ファン（以下、吸湿処理用ファンという）４１につながる吸湿流路５０の計２本の流路に対し、１本の流路を占有する大きさの吸湿体４０を、予め設定された一定時間ごとに吸湿体４０を移動機構４７によってスライド移動させて各流路４２，５０間を往復移動させる。
【００６３】
また、吸湿処理用ファン４１と再生処理用ファン４３のいずれか一方、または両方が空気調和機の室内機または室外機に内蔵または併設する換気ファンである。  
この実施の形態で用いられる吸湿体４０は、図１７に示すように、塗布や粒子埋め込みなどにより吸湿材４５が表面に担持された伝熱フィン４６、または吸湿材４５に伝熱フィン４６が埋め込まれたものであり、伝熱フィン４６からの熱伝導で直接的に吸湿材４５を加熱または冷却する。なおこの伝熱フィン４６の根元端部５１には、後述する加熱体、冷熱体と接触するための面が形成されている。
【００６４】
この伝熱フィン４６を加熱または冷却するための熱源自体は吸湿体４０と一体化せずに、伝熱フィン４６を加熱するための加熱体４８は再生流路４２に、また冷熱体４９は吸湿流路５０に設けられている。
【００６５】
なお、加熱体４８とは、吸湿体４０が処理する空気よりも高温で伝熱フィン根元端部５１と接触できるような面をもった構造体を意味し、熱源５７の種類は問わない。冷熱体４９も同様で、吸湿体４０が処理する空気よりも低温で伝熱フィン根元端部５１と接触できるような面をもった構造体を意味し、冷熱源５８の種類は問わない。
【００６６】
熱源５７としては、ヒータなどの発熱体以外にも図２０に示すようなペルチェ素子５５、図１８に示すように高温冷媒管(凝縮器)５３や、図１９に示すようにヒートパイプ５４で別所より熱輸送してくることも考えられる。
【００６７】
冷熱源５８としては、図２０に示すようなペルチェ素子５５以外にも図１８に示す低温冷媒管(蒸発器)５６や図１９に示すヒートパイプ５４で別所より熱輸送してくることも考えられる。
【００６８】
なお、処理する空気温度より高温を伝熱フィン４６に与える加熱体４８に対し、処理する空気温度より低温を伝熱フィン４６に与える冷熱体４９と対表現として一貫して使用しているが、「伝熱フィン４６に冷熱を与える」ことと、「伝熱フィン４６の熱を奪う」こととは同じ意味をもつ。
【００６９】
上記した構成において、吸湿体４０が図１１及び図１２に示すように、再生流路４２にスライド移動すると、伝熱フィン根元端部５１は加熱体４８に接触して伝熱フィン４６が加熱される。高温になった吸湿材４５はそれまでに吸湿していた水分を再生放湿し、通過した空気は湿度の高い空気となり、室内加湿に用いられる。
【００７０】
この状態から一定時間経過すると、吸湿体４０は図１３及び図１４に示すように吸湿流路５０にスライド移動する。これにより、伝熱フィン根元端部５１が冷熱体４９と接触して伝熱フィン４６全体が冷却され、吸湿材４５も冷却されることになり、吸湿材４５は通過する空気から吸湿し、乾燥した空気が排気されることになる。これを繰り返すことで、無給水加湿器として動作する。
【００７１】
ただし、この２流路型は従来のバッチ方式と同様に、吸湿と再生放湿がそれぞれ断続することになる。  
なお、伝熱フィン４６に吸湿材４５を担持させる方法は、吸湿材４５を表面塗布するだけとは限らず、吸湿材粒子がフィンに熱伝導できるように直接、または伝熱性のあるバインダ(接着材)を通して間接接触していも構わない。
【００７２】
また、吸湿体４０に伝熱フィン４６が埋め込まれた方式でも構わない。また、伝熱フィン４６は板材と限るものではなく、棒状や網状でも良いが、加熱体４８や冷熱体４９と接触するための面は持つ必要がある。
【００７３】
さらに、加熱体４８や冷熱体４９の流路における設置位置と伝熱フィン根元端部５１の接触方向に関しては、下側からのみとは限らず、上からでも上下から挟み込んでも構わない。
【００７４】
また、吸湿流路系の吸湿処理用ファン４１は吸湿体４０の下流ではなく、上流に設けるものであっても良い。また、同様に、再生流路系の再生処理用ファン４３を吸湿体４０の上流ではなく、下流に設けるものであっても良い。
【００７５】
さらに、図１５、図１６では部屋の外に無給水加湿ユニットおよび換気ファンを示した図になっているが、換気機能/換気ファンと空気調和機との併設とは、空気調和機の室内外配管や配線、ドレンホースを通すために壁に設けられた配管穴を共用するような設置のことであるため、無給水加湿ユニットおよび換気ファンが空気調和装置の室外機の上または室外機内にあるということに限定するものではない。
【００７６】
同様に、無給水加湿ユニットおよび換気ファンが部屋の内側にあっても空気調和装置の室内機の横または室内機内にあるということに限定するものではない。
【００７７】
(第４の実施の形態)
次に、本発明の第４の実施の形態について説明する。  
この第４の実施の形態は、３流路型、即ち、（２Ｎ＋１）流路型のもので、図２１で示されるように、再生処理用ファン４３につながる再生流路４２ａと、吸湿処理用ファン４１につながる吸湿流路５０と、再生放湿処理用ファン４３につながる再生流路４２ｂという交互に配置された計３本の流路に対し、隣接する２本の流路を占有する大きさの吸湿体１０を、予め設定された一定時間ごとにスライド移動して往復させるものである。
【００７８】
なお、吸湿処理用ファン４１と再生処理用ファン４３のいずれか一方、または両方が空気調和機の室内機または室外機に内蔵または併設してもよい。  
加熱体４８は再生流路４２ａ，４２ｂにそれぞれ配設され、また冷熱体４９は吸湿流路５０に設けられている。  
吸湿体１０は３流路中の２流路を占有する大きさであるので、流路をまたいで伝熱フィン４６に熱伝導しないように、根元端部５１に図２５、或いは図２６に示すように断熱材６０を介在させたり、隙間を介在させることなどにより断熱してある。
【００７９】
また、加熱体４８と冷熱体４９は、吸湿体１０の上下部に位置するように配置しても良い。
【００８０】
上記した構成において、吸湿体１０が図２１、図２２に示すように、スライド移動すると、その１／２が再生流路４２ａに位置し、残りの１／２が吸湿流路５０に位置する。吸湿体１０の再生流路４２ａに位置する部分の伝熱フィン根元端部５１は再生流路４２ａの加熱体４８に接触して伝熱フィン４６が加熱され、高温になった吸湿材４５はそれまでに吸湿していた水分を再生放湿し、通過した空気は湿度の高い空気となり室内加湿に用いられる。また、吸湿流路５０に位置する吸湿体１０の伝熱フィン根元端部５１は吸湿流路５０の冷熱体４９に接触して伝熱フィン４６が冷却され、吸湿材４５は通過する空気から吸湿し、乾燥した空気が排気される。
【００８１】
そして、この状態から一定時間経過すると、吸湿体１０は図２３、図２４を示すようにスライド移動し、先ほど吸湿流路５０で吸湿した吸湿体１０の１／２は、今度は再生流路４２ｂに位置し、先ほど再生流路４２ａで再生放湿した残りの１／２は、今度は吸湿流路５０に位置する。再生流路４２ｂに位置した１／２の吸湿体１０の伝熱フィン根元端部５１は加熱体４８に接触して伝熱フィン４６が加熱され、高温になった吸湿材４５が再生放湿する。また、吸湿流路５０に位置する残り１／２の吸湿体１０の伝熱フィン根元端部５１は吸湿流路５０の冷熱体４９に伝熱フィン根元端部５１が接触して伝熱フィン４６が冷却され、吸湿材４５は通過する空気から吸湿し、乾燥した空気が排気される。
【００８２】
以上を繰り返すことで、常に吸湿流路５０、再生流路４２ａ，４２ｂそれぞれから乾燥排気、加湿空気が得られることになる。
【００８３】
つまり、「室外からの給気換気に、吸湿体からの再生放湿水分を添加して室内に供給する方式」においても、「室内からの排気換気を、吸湿体を使って湿度を回収して室内に還元する方式」においても連続換気一連続加湿を提供することができる。
【００８４】
これらは３流路一２流路占有吸湿体が、５流路−４流路占有吸湿体、７流路−６流路占有吸湿体…（２Ｎ＋１)流路流路−（２Ｎ）流路占有吸湿体と拡張しても同様である。
【００８５】
図２８は、吸湿体１０内の伝熱フィン４６の根元端部５１が流路幅以下、すなわち、流路幅の１／２の分割幅になるように断熱されて分割された例を示し、図２９は、根元端部５１が流路幅の１／３の分割幅になるように断熱されて分割された例を示す。
【００８６】
図３０は、図２８に示す吸湿体１０を３流路型に配置した例を示す。  
３流路用の吸湿体１０の全長は(２×流路幅)であるから、分割幅が(流路幅の１／２)であるならば、この吸湿体１０は４分割される。  
図３０（ａ）〜（ｃ）は、吸湿体１０が最小分割幅でシフト移動された場合を示す。
【００８７】
図３０（ａ）に示す状態から吸湿体１０を２段階移動することで、初めて図３０（ｃ）に示すように一流路分のシフト移動になる。
【００８８】
しかし、図３０（ｂ）の状態であっても、吸湿や再生放湿される吸湿体の大きさや、吸湿時間、再生放湿時間、中央流路の流量、この場合は吸湿流量は図３０（ｃ）に示す場合に比べて大きな違いが生じない。
【００８９】
なお、図３０（ｃ）に示す状態以降の動きについては、以下に示すように２通りあり得る。
【００９０】
（１）往復型  
図３０（ｃ）に示す状態から図３０（ｂ）に示す状態に移動したのち、図３０（ａ）に示す状態に移動する。
【００９１】
（２）リセット移動型  
図３０（ｃ）に示す状態から図３０（ａ）に示す状態に移動したのち、図３０（ｂ）に示す状態に移動する。
【００９２】
図３１は、吸湿体１０の最小分割幅の２倍量（＝流路幅）でシフト移動した場合である。  
この場合は、図３１（ａ）と図３１（ｂ）の繰り返ししか生じない。
【００９３】
これを拡張し、図２９のような流路幅の１／３の分割幅になるように断熱によって吸湿体１０が計６分割（ｋ＝３）される場合は、
（１）最小分割幅でシフト移動  
（２）最小分割幅の２倍量シフト移動  
（３）最小分割幅の３倍量(＝流路幅)シフト移動  
の３通りの移動幅を選ぶことが可能となる。
【００９４】
つまり、一般化した（２Ｎ−１）流路−（２Ｎ）吸湿体方式において、断熱を挟むことで吸湿体を流路幅の１／ｋで分割した場合、その最小分割幅は（流路幅／ｋ)であり、吸湿体全体は（ｋ×２Ｎ）分割され(Ｎもｋも自然数)、吸湿体のシフト移動量は（ｍ×流路幅／ｋ、１≦ｍ≦ｋ)で動かすことができる。
【００９５】
図３２は、加熱体４８を加熱する加熱源、及び冷熱体４９を冷熱する冷熱源としてペルチェ素子６４を用いた例を示すものである。  
ペルチェ素子６４は通電することにより加熱面と冷熱面が生じる。そこで、この加熱面を熱伝導体６２を介して加熱体４８に接続して加熱し、冷熱面を冷熱体４９に接触させて冷熱する。
【００９６】
加湿運転時には、図３２（ａ）に示す状態で吸湿体１０の左半分は加熱体４８によって加熱され、右半分は冷熱体４９によって冷却される。この状態から一定時間経過すると、吸湿体１０は図３２（ｂ）に示すように移動されて右半分が加熱体４８によって加熱され、左半分が冷熱体４９によって冷却される。
【００９７】
除湿運転時には、図３３（ａ）に示すように、吸湿体１０の左半分は冷熱体４９によって冷却され、右半分は加熱体４８によって加熱される。この状態から一定時間経過すると、吸湿体１０は図３３（ｂ）に示すように移動されて右半分が冷熱体４９によって冷却され、左半分が加熱体４８によって加熱される。
【００９８】
図３４及び図３５は、ペルチェ素子６４の他の配置例を示すものである。  
図３４は、吸湿流路５０の上下部に冷熱体４９をそれぞれ配設し、再生流路４６ａの下部側と再生流路４６ｂの上部側とにそれぞれ加熱体４８を配設している。そして上部側のペルチェ素子６４によって上部側の加熱体４８を加熱するとともに、上部側の冷熱体４９を冷却し、下部側のペルチェ素子６４によって下部側の加熱体４８を加熱するとともに、下部側の冷熱体４９を冷却するものである。
【００９９】
図３５は、２個のペルチェ素子６４ａ，６４ｂを配設し、一方のペルチェ素子６４ａによって一方の加熱体４８を加熱するとともに、冷熱体４９を冷却し、他方のペルチェ素子６４ｂによって他方の加熱体４８を加熱するとともに、冷熱体４９を冷却するものである。
【０１００】
図３６は、加熱体４８と冷熱体４９の熱源として冷凍サイクルを用いた例を示すものである。同図中、冷媒は冷凍サイクル中を矢印の方向に流れる。  
冷凍サイクルは、コンプレッサ６７、四方弁６８、凝縮器６９、膨張弁７０、及び蒸発器７１を備え、四方弁６８を使い分けることで、上記したペルチェ素子の場合と同じように、流路やファンを変更することなく、図３６に示すように加湿器にも、図３７に示すように除湿器(図３７に示す)にもなる。
【０１０１】
なお、２つ加熱体４８，４８と１つの冷熱体４９に対する冷凍サイクルの組み方や四方弁６８の入れ方や個数は、この限りではない。
【０１０２】
図３８は、３流路型において、再生流路４２ａ，４２ｂに加熱体４８を配置するが、吸湿流路５０には冷熱体を配置しない例を示すものである。  
冷熱体を配置しないのは、吸湿時の冷却は必ずしも必要ではないからである。冷却しない分効率は落ちるが、構造はシンプルで安価に作ることが可能となる。
【０１０３】
図３９は、再生流路４２ａ，４２ｂと吸湿流路５０のそれぞれに加熱体４８を設置する例を示すものである。この例では、図３９（ａ）に示すように吸湿流路５０の加熱体４８をオフ状態、再生流路４２ａ，４２ｂの加熱体４８をオン状態にして無給水加湿運転を行ない、また、図３９（ｂ）に示すように、再生流路４２ａ，４２ｂの加熱体４８をオフ状態、吸湿流路５０の加熱体４８をオン状態にして除湿運転を行なう。
【０１０４】
図４０は、排気換気−乾燥排気型の３流路型システムで暖房空調を加熱源とした例を示すものである。図４１は図４０のＡ−Ａ断面で、再生流路系を示し、壁掛け室内機の暖房時の高温吹出し空気はルーバ５によって上方向に向けられ、再度室内機内に吸い込まれる。この際、高温空気は吸湿体１０を通過し、この部分に位置する吸湿対１０は温度が上昇し、再生放湿する。これによれば、ヒータ等の別個の加熱手段を設けることなく、熱交換器８と熱交換後の室内の暖房空気を加熱源として再生(加湿)することができる。また、ファンは空調機の横流ファン９で代用できる。
【０１０５】
図４２は図４０のＢ−Ｂ断面で、吸湿流路系を示し、この部分に位置する吸湿体１０に対しても高温吹出し空気が供給されるが、冷熱体４９により吸湿体１０は伝熱で冷却され、処理空気から吸湿し、乾燥空気は室外に排気される。
【０１０６】
続いて、冷熱体４９をなくして、部品点数を削減した例を説明する。この例においては、空気調和機の室内機の吹出し通路に設けられ、風向を制御するルーバ５が横方向に各流路に合わせて複数個に分割されている。吸湿体１０部分の全体は、図４２に示す図から、冷熱体４９をなくしただけのものであり、図を省略する。
【０１０７】
それぞれの分割されたルーバ５は流路の幅と略一致し、かつ分割単位で方向が変更できるようになっている。図４３は、再生流路系の断面を示しており、この再生流路に対応する左右部分に位置するルーバ５ａは上向きに位置決めされる。この結果、壁掛け空調機の暖房時の高温吹出し空気はルーバによって上方向に向けられ、再度室内機内に吸い込まれる。この際、高温空気は吸湿体１０を通過し、この部分に位置する吸湿体１０は温度が上昇し、再生放湿する。
【０１０８】
図４４は、吸湿流路系の断面を示し、この再生流路に対応する室内機の中央部分に位置するルーバ５ｂは下向きに位置決めされる。この結果、室内機の高温吹出し空気は、吸込み側に回ることがなく、低温の室内空気が、吸湿体１０を介して室内機内に吸込まれる。したがって、冷熱体を設けることなく、この部分に位置する吸湿体１０は低温となり、室内空気の水分を吸着する。
【０１０９】
(第５の実施の形態)
次に、本発明の第５の実施の形態について説明する。  この例においては、吸湿体１０が流路の奥行き方向に複数枚設けられ、そのそれぞれが左右に正逆方向にスライド移動可能となっている。
【０１１０】
この例について、空気調和機の室内機または室外機に内蔵または併設する換気機能、換気ファンを利用してゼオライトやシリカゲルといった吸湿材を担持させた吸湿体の吸湿−再生特性を利用した無給水加湿器において、吸湿体の吸着時間と再生時間が吸着時間:再生時間＝２：１の場合で説明する。.
図４５に示すように、吸湿処理用ファンにつながる吸湿流路５０と、再生処理用ファンにつながる再生流路４２が設置されており、流路を占有する大きさの吸湿体４０ａ〜４０ｃが常に吸湿流路５０に２枚、再生流路４２に１枚配置されている。
【０１１１】
この３枚の吸湿体４０ａ〜４０ｃが順番に吸湿流路５０と再生流路４２をスライド移動する。この時、吸湿体４０ａ〜４０ｃは互いの流路をスライド出来るよう１枚毎ずらして設置されている。
【０１１２】
まず、始めに、図４５（ａ）に示すように吸湿体４０ａ〜４０ｃが配置されており、第３の吸湿体４０ｃがまだ全く吸湿がされていないとする(再生流路４２から吸湿流路５０にスライド移動してきた直後とする)。
【０１１３】
吸湿時間：再生時間＝２：１なので１枚毎順番に再生流路４２にスライドすると、まず第１の吸湿体４０ａが再生流路４２で再生されている時間１分、次に第１の吸湿体４０ａの再生が終わり、ずっと吸湿流路５０に置かれていた第２の吸湿体４０ｂが再生流路４２に移動し、再生する時間１分であり、第３の吸湿体４０ｃは合計２分間吸湿流路５０に置かれていることになる。
【０１１４】
よって、再生流路４２中の第２の吸湿体４０ｂが再生終了のタイミングで、吸湿流路５０側の第３の吸湿体４０ｃは吸着終了状態となり、このサイクルを繰り返すことで吸湿流路５０側の吸湿体は順次、吸湿が終了していく。
【０１１５】
よって吸湿流路５０に２枚、再生流路４２に１枚の吸湿体を設置することで、常に吸湿流路５０の吸湿体１枚は、再生流路４２にある１枚の吸湿体の再生が終了するタイミングで吸着が終了状態になるため、再生が終了したと同時に再生流路４２に吸着終了の吸湿体をスライドさせることで連続加湿が可能となる。
【０１１６】
また、吸湿体を切替える時に、先に吸湿流路５０側の吸着終了の吸湿体を素早く再生流路４２にスライドさせ終わってから、再生終了の吸湿体を吸湿流路５０に戻すことで、常に吸湿流路５０と再生流路４２には吸湿体が占有している状態であり、切替え時の切替えショック(温湿度変動)が小さくてすむ。
【０１１７】
吸着時間:再生時間＝２：１の場合で説明したが、吸着時間Ｎが２以上のときは吸湿流路４２に設置する吸湿体の枚数を増やし、Ｎ枚とすれば、上記同様の連続加湿方式となる。
【０１１８】
図４５に示すものは、加湿機であるが、吸湿流路と再生流路を切替える機構を設け、吸湿体の位置を入れ替えれば除湿機としても転用可能である。
【０１１９】
(第６の実施の形態)
次に、本発明の第６の実施の形態について説明する。  
図４６は、上記した第５の実施の形態と同様に、空気調和機に搭載する無給水加湿器において、吸湿体の吸着時間：再生時間＝Ｎ:１の時、Ｎが３以上でかつ奇数である場合、ここでは簡単に、吸着時間:再生時間＝３:１とした例を示すものである。なお、吸着時間:再生時間の比は、吸湿体の材料の特性、吸着、再生通路の風量により定まる。
【０１２０】
まず、吸湿処理用ファンにつながる吸湿流路５０と、再生処理用ファンにつながる再生流路４２が、吸湿流路５０−再生流路４２−吸湿流路５０の順で、再生流路４２を挟むかたちで吸湿流路５０が左右に設置されている。
【０１２１】
そして、流路を占有する大きさの吸湿体が、まず、吸湿流路５０に（Ｎ＋１／２枚、つまり２枚ずつ配置され、左右の吸湿流路５０から交互に１枚ずつ再生流路４２にスライド移動を繰り返す。
【０１２２】
吸湿流路５０から常に１枚の吸湿体が再生流路４２に移動されているので、左右の吸湿流路５０には常に合計Ｎ＝３枚の吸湿体が設置され、１枚は常に再生流路４２にある。
【０１２３】
図４６の様に、吸湿体は左右の吸湿流路５０に向かい合う様に設置出来るので、１吸湿流路５０当たり吸湿体の枚数が、Ｎが奇数の場合は（Ｎ＋１）／２枚(ここでは２枚〉の厚みの機構ですむので上記した第５の実施の形態の機構よりコンパクト化できる。
【０１２４】
同じ流路に置かれた吸湿体は吸湿・再生流路間をスライド移動出来るよう１枚毎ずらして配置されている。
【０１２５】
ここで、左右の吸湿流路５０から交互に１枚毎、再生流路４２に吸湿体がスライド移動を繰り返すサイクルについて説明する。
【０１２６】
まず、図４６に書かれた数字の順番に吸湿体４０ａ〜４０ｄが再生流路４２に移動するとする。
【０１２７】
始めに図４５（ａ）に示すように、第１〜第４の吸湿体４０ａ〜４０ｄが配置されており、第４の吸湿体４０ｄがまだ全く吸湿がされていないとする(再生流路４２から吸湿流路５０にスライドしてきた直後とする)。
【０１２８】
まず、左の吸湿流路５０に設置された第４の吸湿体４０ｄは、再生流路４２で第１の吸湿体４０ａが再生されている時間１分、次に第１の吸湿体４０ａの再生が終わり、右の吸湿流路５０に置かれていた第２の吸湿体４０ｂが図４７（ｂ）に示すように、再生流路４２に移動し、再生する時間１分、次に同じく右の吸湿流路５０に置かれていた第３の吸湿体４０ｃが図４７（ｃ）に示すように、再生流路４２に移動し、再生する時間１分の合計３分間、吸湿流路５０に置かれていることになる。
【０１２９】
つまり、再生流路４２中の第３の吸湿体４０ｃが再生終了のタイミングで、吸湿流路５０側の第４の吸湿体４０ｄが吸着終了状態となり、図４７（ｃ）に示すように、第４の吸湿体４０ｄが再生流路４２に移動する。このサイクルを繰り返すことで左右の吸湿流路５０側の吸湿体は交互に順次、吸湿が終了していく。
【０１３０】
よって、吸湿体の吸着時間:再生時間＝３：１の場合、第５の実施の形態と同様に、左右の吸湿流路５０には常に合計３枚、再生流路４２に１枚の吸湿体がある状態にすることで、常に吸湿流路５０の吸湿体１枚は、再生流路４２にある１枚の吸湿体の再生が終了するタイミングで吸着が終了状態となるため、再生が終了したと同時に再生流路４２に吸着終了の吸湿体をスライドさせることで連続加湿が可能となる。
【０１３１】
この時、上記した順番のように左右の吸湿流路５０で交互に吸湿が終了するタイミングにすれば、再生が終了したと同時に、再生流路４２に吸着終了の吸湿体をスライドさせ、スライドし終わってから、再生終了の吸湿体を元の吸湿流路５０に戻すことが可能であり、吸湿体の切替え時の切替えショック(温湿度変化〉を最小限に抑えることが可能である。
【０１３２】
ここでは、吸湿体のスライドの動きを左上から左右交互に斜めに順番をふって説明したが、移動の仕方はこの１通りだけではない。
【０１３３】
また、吸着時間：再生時間=３：１の場合で説明したが、吸着時間Ｎが３以上かつ奇数のときは、左右の吸湿流路５０に設置する吸湿体の枚数を増やし、１吸湿流路あたり（Ｎ＋１）／２枚づつとすれば、上記同様の連続加湿方式となる、
(第７の実施の形態)
次に、本発明の第７の実施の形態について説明する。  
図４８は、第６の実施の形態と同様、空気調和機に搭載する無給水加湿器において、吸湿体の吸着時間：再生時間＝Ｎ：１の時、Ｎが４以上で、かつ偶数である場合、ここでは簡単に、吸着時間：再生時間＝４：１とする例である。
【０１３４】
即ち、吸湿処理用ファンにつながる吸湿流路５０と、再生放湿処理用ファンにつながる再生流路４２が吸湿流路５０一再生流路４２一吸湿流路５０の順で、再生流路４２を挟むかたちで吸湿流路５０が左右に設置されており、流路を占有する大きさの吸湿体が、まずは、左右の吸湿流路に吸湿体が（Ｎ／２）＋１枚、Ｎ／２、つまり３枚と２枚に分かれて配置され、左右の吸湿流路５０から交互に１枚毎、再生流路４２にスライド移動を繰り返すものである。
【０１３５】
吸湿流路５０から常に１枚の吸湿体は再生流路４２に移動されているので、左右の吸湿流路５０には常に合計Ｎ＝４枚の吸湿体が設置され、１枚は常に再生流路４２にある。
【０１３６】
吸湿体は左右の吸湿流路５０に向かい合う様に設置出来るが、Ｎが奇数の場合は、吸湿体の枚数が、片方の吸湿流路の方が１枚多くなるので、（Ｎ／２）＋１枚(ここでは３枚)の厚みの機構となるが、上記した第５の実施の形態の機構よりコンパクト化できる。
【０１３７】
同じ流路に置かれた吸湿体は吸湿・再生流路間をスライド移動出来るように１枚毎ずらして配置されている。
【０１３８】
ここで、左右の吸湿流路５０から交互に１枚毎、再生流路４２に吸湿体がスライド移動を繰り返すサイクルについて説明する。
【０１３９】
まず、図４８に書かれた数字の順番に吸湿体が再生流路４２に移動するとする。始めに図４９（ａ）に示すように吸湿体４０ａ〜４０ｅが配置されており、第５の吸湿体４０ｅがまだ全く吸湿がされていないとする(再生流路４２から吸湿流路５０にスライドしてきた直後とする)。
【０１４０】
まず、右の吸湿流路５０に設置された第５の吸湿体４０ｅは、第１の吸湿体４０ａが再生流路４２で再生されている時間１分、次に第１の吸湿体４０ａの再生が終わり、右の吸湿流路５０に置かれていた第２の吸湿体４０ｂが図４９（ｂ）に示すように再生流路４２に移動し、再生する時間１分、次に左の吸湿流路５０に置かれていた第３の吸湿体４０ｃが図４９（ｃ）に示すように再生流路４２に移動し、再生する時間１分、次に同様に左の吸湿流路５０に置かれていた第４の吸湿体４０ｄが図４９（ｄ）に示すように再生流路４２に移動し、再生する時間１分であり、合計４分間、吸湿流路５０に置かれていることになる。
【０１４１】
つまり、再生流路４２中の第４の吸湿体４０ｄが再生終了のタイミングで、吸湿流路５０側の第５の吸湿体４０ｅは吸着終了状態となって図４９（ｅ）に示すように再生流路４２に移動する。このサイクルを繰り返すことで左右の吸湿流路５０側の吸湿体は交互に順次、吸湿が終了していく。
【０１４２】
よって、吸湿体の吸着時間:再生時間＝４：１の場合、第６の実施の形態と同様に、左右の吸湿流路５０には常に合計４枚、再生流路４２に１枚の吸湿体がある状態にすることで、常に吸湿流路５０の吸湿体１枚は、再生流路４２にある１枚の吸湿体の再生が終了するタイミングで吸着が終了状態となり、再生が終了したと同時に再生流路４２に吸着終了の吸湿体をスライドさせることで連続加湿が可能となる。
【０１４３】
この時、上記した順番のように左右の吸湿流路５０で交互に吸湿が終了するタイミングにすれば、再生が終了したと同時に、再生流路４２に吸着終了の吸湿体をスライドさせ、スライドし終わってから、再生終了の吸湿体を元の吸湿流路５０に戻すことが可能であり、吸湿体の切替え時の切替えショック(温湿度変化)を最小限に抑えることが可能である。
【０１４４】
ここでは、吸湿体のスライドの動きを左上から左右交互に斜めに順番をふって説明したが、移動の仕方はこの１通りだけではない。
【０１４５】
また、吸着時間：再生時間＝４：１の場合で説明したが、吸着時間Ｎが４以上かつ偶数のときは、左右の吸湿流路５０に設置する吸湿体の枚数を増やし、左右の吸湿流路５０に（Ｎ／２）＋１枚、Ｎ／２の吸湿体を設置すれば、上記同様の連続加湿方式となる。
【０１４６】
この時Ｎを４以上としたのは、Ｎ＝２の時は、片方の吸湿流路５０に設置される吸湿体の枚数が１枚となってしまい、その１枚が再生流路４２に移動した際、１つの吸湿流路５０は不使用となるため、弁などを設けて不使用時には通風しないような機構にしなくてはならず、機構が複雑化してしまうので、Ｎ＝２の時は、上記第５の実施の形態の方が好ましい為である。
【０１４７】
上記第５の実施の形態と同様に、この発明は加湿機であるが、吸湿流路と再生流路を切替える機構を設け、吸湿体の位置を入れ替えれば除湿機としても転用可能である。
【０１４８】
ここで、吸着時間：再生時間＝Ｎ：１の定義について図５０を参照して説明する。  
但し、下記数値は１例である。
【０１４９】
図５０（ｂ）の再生のグラフにおいて、仮に吸着容量の９０％が再生した時点を再生完了と見なし、その時間をt分とする。吸着は再生よりも時聞がかかるため、t分ではまだ吸着できる容量の６０％しか吸着できていない。
【０１５０】
そこで、図５０（ａ）の吸着容量の９０％以上が吸着し、かつ、再生時間t分と整数比となる時点を吸着終了とする。  
よって、上記のグラフの場合は、吸着時間:再生時間＝２：１あるいは３：１となる。
【０１５１】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【０１５２】
【図１】本発明の第１の実施の形態に係る空気調和機の室内機を示す縦断側面図。
【図２】図１の室内機を示す水平断面図。
【図３】図１の室内機の駆動制御系を示すブロック図。
【図４】図１の室内機に設けられる吸着体を示す斜視図。
【図５】図４の吸着体とダクトとの配置構造を示す斜視図。
【図６】図４の吸着体がスライド移動された状態を示す室内機の水平断面図。
【図７】図４の吸着体の移動位置を示す図。
【図８】図６の吸着体の移動位置を示す図。
【図９】本発明の第２の実施の形態である５流路型に配置される吸着体を示す図。
【図１０】図９の吸着体がスライド移動された状態を示す図。
【図１１】本発明の第３の実施の形態である２流路型に配置される吸湿体を示す平面図。
【図１２】図１１の吸湿体を示す正面図。
【図１３】図１１の吸湿体が吸湿流路にスライド移動された状態を示す平面図。
【図１４】図１３の吸湿体を示す正面図。
【図１５】排気換気−乾燥排気方式方式の無給水加湿器の概念図。
【図１６】給気換気−湿り給気方式の無給水加湿器の概念図。
【図１７】各種の吸湿体を示す図。
【図１８】吸湿体の加熱源、冷熱源として用いられる熱交換器を示す図。
【図１９】吸湿体の加熱源、冷熱源として用いられるヒートパイプを示す図。
【図２０】吸湿体の加熱源、冷熱源として用いられるペルチェ素子を示す図。
【図２１】本発明の第４の実施の形態である３流路型に配置される吸湿体、加熱体及び冷熱体を示す平面図。
【図２２】図２１の吸湿体、加熱体及び冷熱体を示す正面図。
【図２３】図２１の吸湿体がスライド移動された状態を示す平面図。
【図２４】図２１の吸湿体がスライド移動された状態を示す正面図。
【図２５】断熱された吸湿体を示す図。
【図２６】断熱された吸湿体の他の例を示す図。
【図２７】加熱体及び冷熱体の他の配置例を示す図。
【図２８】４分割して断熱される吸湿体を示す図。
【図２９】６分割して断熱される吸湿体を示す図。
【図３０】図２８の４分割された吸湿体をその分割幅でスライド移動させた状態を示す図。
【図３１】図２８の４分割された吸湿体をその分割幅の２倍の幅寸法でスライド移動させた状態を示す図。
【図３２】ペルチェ方式の３流路型の除加湿器における無給水加湿運転時の例を示す図。
【図３３】ペルチェ方式の３流路型の除加湿器における熱の反転による除湿運転時の例を示す図。
【図３４】ペルチェ方式の３流路型において２つのペルチェ素子を用いた例を示す図。
【図３５】ペルチェ方式の３流路型において２つのペルチェ素子を用いた他の例を示す図。
【図３６】冷凍サイクル方式の３流路型の除加湿器における無給水加湿運転時の例を示す図。
【図３７】冷凍サイクル方式の３流路型の除加湿器における熱の反転(四方弁の切り替え)による除湿運転時の例を示す図。
【図３８】加熱体だけを使った方式の３流路型の無給水加湿器の例を示す図。
【図３９】（ａ）は加熱体だけを使った方式の３流路型の除加湿器における無給水加湿運転時の例を示す図で、（ｂ）は、加熱体だけを使った方式の３流路型の除加湿器における加熱体の切り替えによる除湿運転時の例を示す図。
【図４０】暖房空調−冷熱体を使った例を示す図。
【図４１】図４０中Ａ−Ａ線に沿って示す断面図。
【図４２】図４０中Ｂ−Ｂ線に沿って示す断面図。
【図４３】暖房空調のみを用いた例の再生流路部分を示す断面図。
【図４４】図４３における吸湿流路部分を示す断面図。
【図４５】本発明の第５の実施の形態である２流路型で、吸湿時間：再生時間＝２：１の場合の吸湿体の移動動作を示す図。
【図４６】本発明の第６の実施の形態である３流路型で、吸湿時間：再生時間＝３：１の場合の吸湿体の移動順番を示す図。
【図４７】図４４の３流路型で、吸湿時間：再生時間＝３：１の場合の吸湿体の移動動作を示す図。
【図４８】本発明の第７の実施の形態である３流路型で、吸湿時間：再生時間＝４：１の場合の吸湿体の移動順番を示す図。
【図４９】図４８の３流路型で、吸湿時間：再生時間＝４：１の場合の吸湿体の移動動作を示す図。
【図５０】吸湿時間：再生時間＝Ｎ：１の定義についての説明図。
【符号の説明】
【０１５３】
１…室内機、３…室内機本体、４…吸込口、６…吹出口、９…空調用ファン（再生処理用ファン）、１０…吸湿体（吸着体）、１１…室外排気用ファン（吸着処理用ファン）、３４…吸湿流路、３５…再生流路、３６…スライド機構（移動手段）、４０…吸湿体（吸着体）、４１…吸湿処理用ファン、４２…再生流路、４３…再生処理用ファン、４５…吸湿材、４６…伝熱フィン、４７…移動機構（移動手段）、４８…加熱体、４９…冷熱体、５０…吸湿流路、５１…根元部、５５，６４…ペルチェ素子、６０，６２…断熱材。
【図１】
2008175488.tif 000003
【図２】
2008175488.tif 000004
【図３】
2008175488.tif 000005
【図４】
2008175488.tif 000006
【図５】
2008175488.tif 000007
【図６】
2008175488.tif 000008
【図７】
2008175488.tif 000009
【図８】
2008175488.tif 000010
【図９】
2008175488.tif 000011
【図１０】
2008175488.tif 000012
【図１１】
2008175488.tif 000013
【図１２】
2008175488.tif 000014
【図１３】
2008175488.tif 000015
【図１４】
2008175488.tif 000016
【図１５】
2008175488.tif 000017
【図１６】
2008175488.tif 000018
【図１７】
2008175488.tif 000019
【図１８】
2008175488.tif 000020
【図１９】
2008175488.tif 000021
【図２０】
2008175488.tif 000022
【図２１】
2008175488.tif 000023
【図２２】
2008175488.tif 000024
【図２３】
2008175488.tif 000025
【図２４】
2008175488.tif 000026
【図２５】
2008175488.tif 000027
【図２６】
2008175488.tif 000028
【図２７】
2008175488.tif 000029
【図２８】
2008175488.tif 000030
【図２９】
2008175488.tif 000031
【図３０】
2008175488.tif 000032
【図３１】
2008175488.tif 000033
【図３２】
2008175488.tif 000034
【図３３】
2008175488.tif 000035
【図３４】
2008175488.tif 000036
【図３５】
2008175488.tif 000037
【図３６】
2008175488.tif 000038
【図３７】
2008175488.tif 000039
【図３８】
2008175488.tif 000040
【図３９】
2008175488.tif 000041
【図４０】
2008175488.tif 000042
【図４１】
2008175488.tif 000043
【図４２】
2008175488.tif 000044
【図４３】
2008175488.tif 000045
【図４４】
2008175488.tif 000046
【図４５】
2008175488.tif 000047
【図４６】
2008175488.tif 000048
【図４７】
2008175488.tif 000049
【図４８】
2008175488.tif 000050
【図４９】
2008175488.tif 000051
【図５０】
2008175488.tif 000052